(57)【要約】【課題】  ２つのＣＰＵが通信しあう情報機器において、誤動作もなく、安価で、人手も必要とせずにそのＣＰＵ間の通信異常時の初期化を行える情報機器を提供する。【解決手段】  機器内の主たる制御を行うメインＣＰＵ２１と、このメインＣＰＵ２１と通信しながら操作制御部１０の制御を行うサブＣＰＵ１１と、操作制御部１０の電圧レベルを監視し、その電圧レベルが所定値以下になるとサブＣＰＵ１１にリセット信号を出力するリセットＩＣ１３を備え、メインＣＰＵ２１は、サブＣＰＵ１１との通信異常を検知したとき、操作制御部１０へ供給されている直流電源＋５ＶＥをスイッチ回路２２により一時的に遮断する電力制御を行う。サブＣＰＵ１１はリセットＩＣ１３からのリセット信号を受信したときに初期化処理を実行するようにした。【選択図】  図４
2006174307.tif 000002
【特許請求の範囲】
【請求項１】
機器内の主たる制御を行うメイン制御部と、該メイン制御部と通信しながら機器内の特定部分の制御を行うサブ制御部と、前記機器内の特定部分の電圧レベルを監視し、該電圧レベルが所定値以下になると前記サブ制御部にリセット信号を出力する電圧監視手段と、を備え、前記メイン制御部は、前記サブ制御部との通信異常を検知したとき、前記機器内の特定部分へ供給されている直流電源の電圧レベルを一時的に低くするか電力供給を遮断する電力制御を行い、前記サブ制御部は前記電圧監視手段からリセット信号を受信したときに初期化処理を実行することを特徴とする情報機器。
【請求項２】
請求項１記載の情報機器において、前記機器内の特定部分がキー入力制御または表示制御を行う制御手段を含む操作部であることを特徴とする情報機器。
【請求項３】
請求項１または請求項２記載の情報機器において、前記メイン制御部は、前記サブ制御部との通信が所定時間以上不成立となった場合に所定時間だけ前記電力制御を行うことを特徴とする情報機器。
【請求項４】
請求項３記載の情報機器において、前記通信が所定時間以上不成立となった場合に前記メイン制御部から出力される制御信号に基づいて、前記機器内の特定部分へ供給されている前記直流電源を所定時間遮断するスイッチ手段を備えたことを特徴とする情報機器。
【請求項５】
請求項１乃至請求項４のいずれか１項に記載の情報機器において、主電源の供給・遮断を行う主電源スイッチを供給状態にして主電源を投入した直後の前記メイン制御部のリセット状態においても前記直流電源を前記機器内の特定部分へ供給するようにしたことを特徴とする情報機器。
【請求項６】
請求項１または請求項２記載の情報機器において、前記スイッチ手段を前記メイン制御部が搭載されたボードとは異なるボード内に設け、そのボード内に設けられている前記サブ制御部とは異なる他のサブ制御部が前記メイン制御部からの制御信号に基づいて、前記スイッチ手段の制御を行うようにしたことを特徴とする情報機器。
【請求項７】
請求項６記載の情報機器において、前記他のサブ制御部がリセット状態においても前記直流電源を前記機器内の特定部分へ供給するようにしたことを特徴とする情報機器。
【請求項８】
請求項１または請求項２記載の情報機器において、待機モードに入ってから所定時間経過後に省電力モードへ移行するか、電源キー押下により省電力モードへ移行する省電力制御を行う構成であり、前記機器内の特定部分へ省電力制御を行っている第１の直流電源と省電力制御を行っていない第２の直流電源とが供給されているとき、前記電力制御を前記第２の直流電源に対して行うことを特徴とする情報機器。
【請求項９】
請求項８記載の情報機器において、前記機器内の特定部分が操作部であり、その操作部内に前記主電源の状態を示す電源状態表示手段を備えている場合、その電源状態表示手段へは前記第２の直流電源から電力を供給することを特徴とする情報機器。
【請求項１０】
請求項８記載の情報機器において、前記機器内の特定部分内のサブ制御部および／またはワークメモリへは前記第１の直流電源から電力を供給することを特徴とする情報機器。
【請求項１１】
請求項１乃至請求項１０のいずれか１項に記載の情報機器において、前記メイン制御部とサブ制御部とはシリアル通信インタフェースで接続されていることを特徴とする情報機器。
【発明の詳細な説明】
【技術分野】
【０００１】
本発明は、例えばキー入力制御や表示部制御など操作部内の制御を行うサブ制御部と、そのサブ制御部と通信を行うと共に機器全体の制御を行うメイン制御部とを備えた、複写機やパーソナルコンピュータなどの情報機器に係り、特に、２つの制御部間の通信異常を解除する制御技術に関する。
【背景技術】
【０００２】
近年、複写機など情報機器では、操作時における応答性などの性能向上を図るために、動作設定を行うキースイッチやタッチパネルなどの入力制御や表示制御など、操作部の制御を行う制御手段として、機器全体の制御を行うメインＣＰＵとは別にサブＣＰＵを設けることが多い。このサブＣＰＵとメインＣＰＵとが通信し合うことによりユーザインタフェースを実現するのである。
前記したメインＣＰＵと操作部内のサブＣＰＵとは距離が離れている場合が多く、さらに通信線数の削減のためにシリアル通信により結ばれることが多い。特に、近年では表示部の大画面化や表示内容の高密度化などにより通信量が増える傾向にあることから高速通信の可能な同期シリアル通信方式を採用するケースがある。
同期シリアル通信は、高速伝送が可能な反面、クロックラインに外部ノイズが混入すると、データのビットずれが発生し、通信エラーを起こすことがある。このような場合、データがずれたままになるのでコマンドによる初期化も行えず、最終的には主電源の遮断／再投入（オフ／オン）動作による初期化が必要になってしまう。
そのため、従来は、通信エラーが発生した場合に別の信号線によりリセット信号を渡すとか、作動信号を併用して耐ノイズ性を向上させるといった対策を講じていた。
なお、特許文献１に示されたコンピュータインタフェース付きファクシミリ装置では、ＬＡＮ接続部がハングアップしたとき、ファクシミリ本体の電源を入れ直すことによりＬＡＮ接続部を初期化することを不要にしている。具体的には、ＬＡＮ接続部が何らかの理由によりハングアップし、送受信が不可能になった場合、操作者は操作パネルによりまたは最寄りの電話機からのＰＢ信号によりＬＡＮ接続部のリセット操作を行う。これにより、メインシステムはＬＡＮ接続部への給電を止め、所定期間後、給電を再開することでＬＡＮ接続部のリセット処理を行う。
【特許文献１】特開２０００−１８８６５９公報
【発明の開示】
【発明が解決しようとする課題】
【０００３】
しかしながら、前記した別の信号線によりリセット信号を渡す従来技術では、リセット信号がＣＭＯＳデバイスなどにより生成されるので、インピーダンスが高く、したがってノイズ混入による誤動作の副作用がある。また、作動信号を併用して耐ノイズ性を向上させる従来技術では、作動信号送受信のためのドライバやレシーバが必要であるので、コストアップになるし、遅延時間の増大により通信速度が低下する。また、特許文献１に示された従来技術では、人手による操作が必要だし、実現に高コストを要する。
本発明の目的は、このような従来技術の問題を解決しようとするものであり、具体的には、特に省電力モードを有する情報機器において、誤動作もなく、安価で、人手も必要とせずに異常時の初期化を行うことができる情報機器を提供することにある。
【課題を解決するための手段】
【０００４】
前記した課題を解決するために、請求項１記載の発明では、機器内の主たる制御を行うメイン制御部と、該メイン制御部と通信しながら機器内の特定部分の制御を行うサブ制御部と、前記機器内の特定部分の電圧レベルを監視し、該電圧レベルが所定値以下になると前記サブ制御部にリセット信号を出力する電圧監視手段と、を備え、前記メイン制御部は、前記サブ制御部との通信異常を検知したとき、前記機器内の特定部分へ供給されている直流電源の電圧レベルを一時的に低くするか電力供給を遮断する電力制御を行い、前記サブ制御部は前記電圧監視手段からリセット信号を受信したときに初期化処理を実行することを特徴とする。
また、請求項２記載の発明では、請求項１記載の情報機器において、前記機器内の特定部分がキー入力制御または表示制御を行う制御手段を含む操作部であることを特徴とする。
また、請求項３記載の発明では、請求項１または請求項２記載の情報機器において、前記メイン制御部は、前記サブ制御部との通信が所定時間以上不成立となった場合に所定時間だけ前記電力制御を行うことを特徴とする。
また、請求項４記載の発明では、請求項３記載の情報機器において、前記通信が所定時間以上不成立となった場合に前記メイン制御部から出力される制御信号に基づいて、前記機器内の特定部分へ供給されている前記直流電源を所定時間遮断するスイッチ手段を備えたことを特徴とする。
また、請求項５記載の発明では、請求項１乃至請求項４のいずれか１項に記載の情報機器において、主電源の供給・遮断を行う主電源スイッチを供給状態にして主電源を投入した直後の前記メイン制御部のリセット状態においても前記直流電源を前記機器内の特定部分へ供給するようにしたことを特徴とする。
【０００５】
また、請求項６記載の発明では、請求項１または請求項２記載の情報機器において、前記スイッチ手段を前記メイン制御部が搭載されたボードとは異なるボード内に設け、そのボード内に設けられている前記サブ制御部とは異なる他のサブ制御部が前記メイン制御部からの制御信号に基づいて、前記スイッチ手段の制御を行うようにしたことを特徴とする。
また、請求項７記載の発明では、請求項６記載の情報機器において、前記他のサブ制御部がリセット状態においても前記直流電源を前記機器内の特定部分へ供給するようにしたことを特徴とする。
また、請求項８記載の発明では、請求項１または請求項２記載の情報機器において、待機モードに入ってから所定時間経過後に省電力モードへ移行するか、電源キー押下により省電力モードへ移行する省電力制御を行う構成であり、前記機器内の特定部分へ省電力制御を行っている第１の直流電源と省電力制御を行っていない第２の直流電源とが供給されているとき、前記電力制御を前記第２の直流電源に対して行うことを特徴とする。
また、請求項９記載の発明では、請求項８記載の情報機器において、前記機器内の特定部分が操作部であり、その操作部内に前記主電源の状態を示す電源状態表示手段を備えている場合、その電源状態表示手段へは前記第２の直流電源から電力を供給することを特徴とする。
また、請求項１０記載の発明では、請求項８記載の情報機器において、前記機器内の特定部分内のサブ制御部および／またはワークメモリへは前記第１の直流電源から電力を供給することを特徴とする。
また、請求項１１記載の発明では、請求項１乃至請求項１０のいずれか１項に記載の情報機器において、前記メイン制御部とサブ制御部とはシリアル通信インタフェースで接続されていることを特徴とする。
【発明の効果】
【０００６】
本発明によれば、請求項１記載の発明では、メイン制御部とサブ制御部とが通信し合う情報機器において、メイン制御部は、サブ制御部との通信異常を検知したとき、サブ制御部が制御を行っている特定部分へ供給されている直流電源の電圧レベルを一時的に低くするか電力供給を遮断する電力制御を行わせるとともに、機器内の特定部分では、その直流電源の電圧レベルを監視してその電圧レベルが所定値以下になるとサブ制御部にリセット信号を出力し、そのリセット信号を受けたサブ制御部が初期化処理を自動的に実行することができるので、従来のようなインピーダンスの高いリセット信号線によるリセットが不要になり、したがって、ノイズによる誤動作もなく、安価で、人手も必要とせずに異常時の初期化を行うことができる。
また、請求項２記載の発明では、請求項１記載の発明において、機器内の特定部分がキー入力制御または表示制御を行う制御手段を含む操作部であるので、そのような場合に請求項１記載の発明の効果を得ることができる。
また、請求項３記載の発明では、請求項１または請求項２記載の発明において、メイン制御部はサブ制御部との通信が所定時間以上不成立となった場合に所定時間だけ前記電力制御を行うことができるので、サブ制御部との通信異常を容易に検知できるし、電力制御を行う所定時間を短くしておけば、例えばその所定時間だけ表示が消えたりしても利用者に不自然な感じを与えないで済む。
【０００７】
また、請求項４記載の発明では、請求項３記載の発明において、通信が所定時間以上不成立となった場合にメイン制御部が出力する制御信号に基づいて機器内の特定部分へ供給されている直流電源をスイッチ手段により所定時間遮断できるので、既存の電源ラインを用いて請求項３記載の発明を容易に実現できる。
また、請求項５記載の発明では、請求項１乃至請求項４のいずれか１項に記載の発明において、主電源の供給・遮断を行う主電源スイッチを供給状態にして主電源を投入した直後のメイン制御部のリセット状態においても直流電源を機器内の特定部分へ供給できるので、サブ制御部は電源投入直後直ちに初期化を開始でき、したがって、２つの制御部の初期化時間が足し合わされることなく起動が可能となり、再起動までの時間が長くなることはない。
また、請求項６記載の発明では、請求項１または請求項２記載の発明において、直流電源の供給・遮断を制御するスイッチ手段をメイン制御部の搭載されたボードとは異なるボード内に備え、そのボード内の他のサブ制御部がメイン制御部からの指令を受けてそのスイッチ手段を制御することができるので、一般に構成の異なる複数の機種間で共通に用いているメイン制御部搭載ボードの汎用性を維持でき、これまで通り複数の機種間で共通に用いることができる。
また、請求項７記載の発明では、請求項６記載の発明において、第２のサブ制御部がリセット状態においても直流電源を機器内の特定部分へ供給できるので、サブ制御部は電源投入直後直ちに初期化を開始でき、したがって、立上げ時間が長くなることはない。
【０００８】
また、請求項８記載の発明では、請求項１または請求項２記載の発明において、待機モードに入ってから所定時間経過後に省電力モードへ移行するか、電源キー押下により省電力モードへ移行する省電力制御を行う構成であり、機器内の特定部分へ省電力制御を行っている第１の直流電源と省電力制御を行っていない第２の直流電源とが供給されているとき、前記電力制御を第２の直流電源に対して行うので、例えばワークメモリの電源を第１の直流電源とすることにより、通信異常の際のサブ制御部リセット時、ワークメモリのデータを保持することができ、サブ制御部の再起動までの時間を短くできる。
また、請求項９記載の発明では、請求項８記載の発明において、機器内の特定部分が操作部であり、その操作部内に主電源の状態を示す電源状態表示手段を備えている場合、その電源状態表示手段へは第２の直流電源から電力を供給できるので、主電源が投入されているにもかかわらず省電力モード時に電源状態表示手段が表示状態にならないという不具合が生じないで済む。
また、請求項１０記載の発明では、請求項８記載の発明において、機器内の特定部分内のサブ制御部および／またはワークメモリへは第１の直流電源から電力を供給できるので、サブ制御部および／またはワークメモリの省電力化を図ることができるし、ワークメモリの省電力化を行った場合、省電力モードのときにデータが失われ、そのため、サブ制御部の再起動に長い時間を要するが、その際はパワー系の復帰にも時間がかかるので問題ない。
また、請求項１１記載の発明では、請求項１乃至請求項１０のいずれか１項に記載の発明において、メイン制御部とサブ制御部とがシリアル通信インタフェースで接続されているので、そのような場合で、請求項１乃至請求項１０のいずれか１項に記載の発明の効果を得ることができる。
【発明を実施するための最良の形態】
【０００９】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の一実施形態としての複写機制御系の基本的な構成を示したブロック図である。図示したように、操作部１ａは操作パネル９と操作制御部１０ａから成り、操作制御部１０ａ内のサブＣＰＵ（サブ制御部）１１はコントローラ２ａ内のメインＣＰＵ（メイン制御部）２１と双方向シリアル通信で結ばれ、機器の設定情報や状態表示情報などをやり取りしている。コントローラ２ａはエンジン制御部３とも接続されており、複写動作を行う際にはエンジン制御部３へ命令を出し、エンジン制御部３はセンサからの情報により搬送モータなどを制御して転写紙の搬送タイミング制御を行うと共に、画像処理部４を経由して、読み取り制御部５を制御し、原稿の読み取りを行う。
この読み取り制御部５は読み取った画像データを画像処理部４へ出力し、画像処理部４は図示しない書き込み制御部へ画像データを出力することにより感光体上に静電潜像を形成させる。さらに、エンジン制御部３は、図示しない現像ユニット、転写ユニット、転写ユニットなどを制御し、搬送されてきた転写紙にトナー画像を転写・定着させる。
図示したように、通常は、サブＣＰＵ１１とメインＣＰＵ２１間にシリアル通信ラインのほか操作部１ａとの通信に異常が発生した場合にサブＣＰＵ１１をリセットするためのリセット信号がメインＣＰＵ２１からサブＣＰＵ１１に向けて出力されている。操作部１ａとの通信異常検出には色々な方式があるが、ここでは、サブＣＰＵ１１とメインＣＰＵ２１間において所定時間間隔でメインＣＰＵ２１からコマンドを送出し、サブＣＰＵ１１がそれに対する応答を出す構成とし、メインＣＰＵ２１はコマンド送出後、所定時間以内にサブＣＰＵ１１からの応答がない場合に再度コマンドを送出し、それを所定回数繰り返し応答が帰ってこなかった場合に異常と判断する。
商用電源である主電源の状態を示す主電源ＬＥＤ１１２には電源ユニット（直流電源）６から＋５ＶＥが直接送られ、図示しない電流制限抵抗により点灯電流を適正化して点灯させている。
また、図１において、リセットＩＣ（集積回路）１２は主電源投入時などにサブＣＰＵ１１を初期化するためのリセット信号を生成する。
【００１０】
図２は操作パネルの平面図である。
この図２に示す操作パネル９上には、通常の操作に用いる操作キーである、電源キー１０１、コピースタートキー１０２、クリア／ストップキー１０３、テンキー１０４、割り込みコピーキー１０５、予熱モードキー１０６、プログラムキー１０７、アプリケーション切換キー１０８、アラート表示部１０９、初期設定モードキー１１０、ＬＣＤ・タッチパネル１１１、主電源ＬＥＤ１１２などがある。前記アラート表示部１０９は用紙ジャムやトナーエンドなどの警告表示を行う。また、主電源ＬＥＤ１１２は、機器のメインスイッチ（例えばロッカースイッチ）が投入されている間点灯するＬＥＤ（表示素子の一種）である。
図３は電源ユニットの概略構成を示した図である。
図３において、商用電源からの交流電源はメインスイッチ６１をオン状態にすることにより初段の整流回路６２へ送られる。その後、第１のコンバータ６３ａおよび第２のコンバータ６３ｂにより電圧を変換し、さらに、後段の整流回路６４ａ、６４ｂにより再度整流して、所望の直流電圧を得る。省電力移行信号は、機器を省電力モードにする際にアクティブとなる信号であり、ここではこの信号をアクティブにすると、＋２４Ｖを生成する第２のコンバータ６３ｂを停止させ、さらに＋５Ｖを出力するＦＥＴスイッチ６５をオフ状態にする。つまり、省電力モードにおいては機器に対して＋５ＶＥを出力するのみとなる。なお、前記した主電源ＬＥＤ１１２はこの＋５ＶＥ電源により点灯させている。
以下、本発明の実施形態について説明する。
【００１１】
〔第１の実施形態〕
図４は第１の実施形態としての複写機制御系の構成を示したブロック図である。基本構成は図１と同様であるが、シリアル通信ラインのほかの信号線として、操作部１との通信に異常が発生した場合にサブＣＰＵ１１をリセットするためのリセット信号がない。代りに、コントローラ２に＋５ＶＥを供給／遮断するスイッチ回路（スイッチ手段）２２、操作制御部１０に、その電源レベルを監視し、サブＣＰＵ１１にリセット信号を供給する電圧監視手段としてリセットＩＣ（集積回路）１３が付加されている。なお、この場合は電圧状態表示手段が主電源ＬＥＤ１１２により実現されている。
このように第１の実施形態では、メインＣＰＵ２１は、操作部１内のサブＣＰＵ１１との通信異常を検出すると、＋５ＶＥの供給／遮断を行うスイッチ回路２２に対して、そのスイッチを遮断状態にする信号を汎用ポートから所定時間出力する。これにより、スイッチ回路２２はその時間だけ＋５ＶＥの供給を遮断し、そのため＋５ＶＥの電位はＧＮＤレベルに低下する。その結果、操作制御部１０でこの電圧を監視しているリセットＩＣ１３がリセット信号を出力し、これにより、サブＣＰＵ１１は初期化を実行し、再起動する。
一方、メインＣＰＵ２１は、サブＣＰＵ１１の再起動までの時間が経過した後、サブＣＰＵ１１に対してコマンドを送出し、サブＣＰＵ１１との通信を再開する。
この部分の具体例を図５に示す。図５において、スイッチ回路２２はスイッチ素子としてＰＮＰトランジスタを用いて構成している。そのため、この場合はメインＣＰＵ２１のポートをＬｏｗレベルにすることによりトランジスタがオン状態になり、＋５ＶＥが操作部側に供給される。操作部側は、通常、電源ユニット６からの＋５ＶＥ電源により主電源ＬＥＤ１１２を点灯させると共に、リセットＩＣ１３で＋５ＶＥ電源の電圧を監視している。こうして、スイッチ回路２２により＋５ＶＥが遮断され、＋５ＶＥが再度供給された時点から、リセットＩＣ１３により決定される所定時間、リセット出力がサブＣＰＵ１１へ出力される。なお、サブＣＰＵ１１にはそれを動作させるための＋５Ｖも供給されており、その電源はリセットＩＣ１２により設定された所定時間監視している。サブＣＰＵ１１には、それぞれのリセットＩＣの出力がＯＲで与えられている。
【００１２】
図示していないが、操作制御部１０はサブＣＰＵ１１が用いるワークメモリも備えており、このワークメモリへは＋５Ｖを供給する。これにより、リセットＩＣ１３がサブＣＰＵ１１をリセットする際にはワークメモリのデータは保存され、したがって、サブＣＰＵ１１は短時間で再起動できる。それに対して、省電力モード時にはワークメモリのデータが失われるので、省電力モードから抜ける際の再起動に時間がかかる。しかし、その際はパワー系の復帰にも時間がかかるので問題ない。
スイッチ素子であるトランジスタのベースは抵抗によりプルダウンされているが、これはメインＣＰＵ２１のリセット期間中などにポートがハイ・インピーダンスで不確定な状態でも＋５ＶＥを操作部１へ供給するようにするためのものである。これにより、＋５ＶＥはメインＣＰＵ２１の立ち上がりに無関係に供給を開始されるので、コントローラ側の初期化時間と操作部側の初期化時間が足し合わされることなく起動が可能となり、したがって、スイッチ回路２２を付加しても立上げ時間が長くなることはない。このときのタイムチャートは図７に示すようになる。
従って、第１の実施形態によれば、操作部に供給されている省電力モード時でも遮断されない電源の電圧を制御することにより人手を必要とせずに異常時の初期化を行うことができる。また、電源ラインはインピーダンスが低いので、ノイズの影響を受けにくく、したがって、ノイズにより初期化が行われてしまうという誤動作もないし、電源ラインはもともと必要なものであるからスイッチ回路などのコストアップ分があっても総合的にはリセット信号線を用いるより安価に実現できる。
【００１３】
〔第２の実施形態〕
次に第２の実施の形態について説明する。
第２の実施形態では、前述した異常時にリセット信号を発生させるためのスイッチ回路（スイッチ手段）をエンジン制御部側に設けるようにしたものである。
図６は、第２の実施形態としての複写機制御系の要部を示した図である。
このような構成で、メインＣＰＵ２１は、通信異常を検出すると、エンジン制御部３ａ内のサブＣＰＵ３１に対して操作部リセットコマンドを送出する。これにより、サブＣＰＵ３１はＨｉｇｈレベルの信号を汎用ポートから所定時間出力してスイッチ回路３２のトランジスタを所定時間だけオフ状態にする。その後の動作は実施例１と同様であるので説明を省略する。
この第２の実施形態でも、スイッチ回路３２のトランジスタのベースはプルダウンされており、メインＣＰＵ２１およびサブＣＰＵ３１がリセット期間中でも＋５ＶＥの供給が可能となっているので、立上げ時間に影響を及ぼさない。このときのタイムチャートは図８に示すようになる。
コントローラ２はパーソナルコンピュータとの通信や画像処理の一部など機器の構成に左右されない機能を担っていることが多いので、複写機やプリンタなど構成の異なる複数の機種間で共通にしたいが、この第２の実施形態ではコントローラ２にスイッチ回路が付加されないので、それが可能となる。プリンタの操作部はＵＡＲＴなどでコントローラに接続されることもあり、その場合、スイッチ回路は不要であるので、スイッチ回路の付加されたコントローラでは余分なコストとなってしまうのである。エンジン制御部は機器の構成により専用設計されることが多いので、スイッチ回路をエンジン制御部に移すことにより、コントローラの汎用性をより高めることが可能になるのである。
このように、本実施形態の初期化技術はスイッチ回路の設置場所についても制約が少ない。
また、前記した各実施形態では、メインＣＰＵと通信を行う再初期化対象のサブＣＰＵは操作部内に設けるようにしているが、必ずしも操作部に設ける必要はない。例えばエンジン制御部内でもよいし、外部との通信を制御する通信制御部内などであってもよい。
また、本実施形態では、省電力制御を行っていない＋５ＶＥ電源（第２の電源）の遮断状態を監視して遮断状態になったときにリセット信号を生成したが、操作部など特定部分に省電力制御を行っている＋５Ｖ電源（第１の電源）しか供給されていない場合、＋５Ｖ電源の供給制御を行えるようにして、その電圧が下がったときにリセット信号を生成してもよい。
【図面の簡単な説明】
【００１４】
【図１】本発明の一実施形態としての複写機制御系の基本的な構成を示したブロック図である。
【図２】操作パネルの平面図である。
【図３】電源ユニットの概略構成を示した図である。
【図４】第１の実施形態としての複写機制御系の構成を示したブロック図である。
【図５】第１の実施形態としての複写機制御系の要部構成を示した図である。
【図６】第２の実施形態としての複写機制御系の要部構成を示した図である。
【図７】第１の実施形態としての複写機制御系の要部のタイムチャートである。
【図８】第２の実施形態としての複写機制御系の要部のタイムチャートである。
【符号の説明】
【００１５】
１  操作部、２  コントローラ、３  エンジン制御部、６  電源ユニット、９  操作パネル、１０  操作制御部、１１  サブＣＰＵ、１３  リセットＩＣ、２１  メインＣＰＵ、２２  スイッチ回路、３１  サブＣＰＵ、３２  スイッチ回路、６５  ＦＥＴスイッチ、１１２  主電源ＬＥＤ
【図１】
2006174307.tif 000003
【図２】
2006174307.tif 000004
【図３】
2006174307.tif 000005
【図４】
2006174307.tif 000006
【図５】
2006174307.tif 000007
【図６】
2006174307.tif 000008
【図７】
2006174307.tif 000009
【図８】
2006174307.tif 000010